Podtech/llm-jp-corpus-v4-ja_patent huggingface dataset:
(57)【要約】【課題】  従来の霧吹き機は容器がプラスチック等で形成されている為、外気温の影響で温度を一定に保つことが出来ず、また低温の水や薬液等を注入した場合に水滴が発生してしまう。【解決手段】  上蓋及び容器を２重構造にし、その間に真空層又は断熱層を設けることにより、保温性を高め、水滴の発生を防ぐものである。【選択図】図１
2007137513.tif 000002
【特許請求の範囲】
【請求項１】
霧吹き機の容器を内容器と外容器の２重構造にして、上蓋も外蓋と内蓋の２重構造にして、その間に真空層又断熱層を設けたことを特徴とする霧吹き機。
【発明の詳細な説明】
【技術分野】
【０００１】  本発明は、霧吹き機の構造に関する。
【背景技術】
【０００２】  従来の霧吹き機は容器がプラスチックやＰＥＴ樹脂等で作られ、保温に適して構造や材料に製造されていない。
【発明の開示】
【発明が解決しようとする課題】
【０００３】  しかし、容器内に高・低温の水、薬液等の液体を注入した場合に、外気温によって温度が変化し、温度を一定に保つことが出来なかった。また低温の水、薬液等を注入した場合に外部容器に水滴が発生してしまう欠点があった。
【課題を解決するための手段】
【０００４】  請求項１の発明は、容器及び上蓋を２重構造にして、その間に真空層又は断熱層を設け、容器に上蓋を固定する。
【発明の効果】
【０００５】  上記の結果、保温性に優れ、水滴の発生を防ぐことができる。
【発明を実施するための最良の形態】
【０００６】  この発明の一実施形態を示す。
【実施例】
【０００７】  図１で容器部分は、外容器Ｂと液体が注入される内容器Ｂ１で形成されＨ及びＨ１で接合される。外容器Ｂの下部に穴がありそこから空気を抜いた後、止め栓Ｇを取り付け接合する。そして止め栓Ｇが破損しないよう底蓋Ｑを固定する。その結果、外容器Ｂと内容器Ｂ１の間に真空層Ｚ１が形成され外気温に左右されない構造となっている。【０００８】  霧吹きのナット部分Ｅと容器のネジ部分Ｈ及びＨ１とで回転させ固定するように形成されている。【０００９】  また、上部構造も外蓋Ａと内蓋Ａ１とで形成され、Ｉ及びＩ１で接合する。外蓋Ａと内蓋Ａ１の間に真空層又は断熱層Ｚがあり保温性を高めている。霧吹きを使用しないときは上蓋Ｃ及びＣ１が容器部分のＤ及びＤ１とでネジのように回転させて取り付けることにより、外気の流入を防いでいる。
【図面の簡単な説明】
【００１０】
【図１】本発明の霧吹き魔法瓶の一実施例を示す断面図である。
【図２】本発明の斜視図である。
【符号の説明】
【００１１】Ａ    外蓋
Ａ１  内蓋
Ｂ    外容器
Ｂ１  内容器
Ｃ    上蓋のナット部分
Ｃ１  上蓋のナット部分
Ｄ    容器のネジ部分
Ｄ１  容器のネジ部分
Ｅ    霧吹き本体
Ｅ１  霧吹きのナット部分
Ｆ    液体吸上げ部分
Ｇ    止め栓
Ｈ    容器のネジ部分及び接合部
Ｈ１  容器のネジ部分及び接合部
Ｉ    接合部
Ｉ１  接合部
Ｑ    底蓋
Ｚ    真空層又は断熱層
Ｚ１  真空層又は断熱層
【図１】
2007137513.tif 000003
【図２】
2007137513.tif 000004
(57)【要約】      （修正有）【課題】容器に充填された粘体物の誤差を少なくするため不足量を自動的に充填する装置を提供する。【解決手段】容器に粘体物を充填するとき，始めに粘体充填機１にて容器の定量の大部分を充填し，次に，容器の定量と始めに充填機にて容器の定量の大部分を充填した量を，自動計量器７にて比較，計量し，容器の定量に不足した量を次の行程、不足量自動充填機１０にて，自動的に自動充填する。【選択図】図２
2007137515.tif 000002
【特許請求の範囲】
【請求項１】
容器に充填された粘体物を自動的に計量を行い，そして，設定された充填量との不足量を，その容器に自動的に充填する装置．
【発明の詳細な説明】
【発明の詳細な説明】
【技術分野】
【０００１】本発明は粘体物の充填に関する事である．
【背景技術】
【０００２】従来，粘体物を充填機で充填を行う場合の充填量目の精度は充填機の計量部の機械的な仕上げ精度により行っていた．
【発明が解決しようとする課題】
【０００３】容器に充填された粘体充填物の充填精度を良くし，充填の速度を速くする事である．
【課題を解決するための手段】
【００４】容器に粘体物を充填するとき，始めに充填機にて容器の定量の大部分を充填し，次に，容器の定量と始めに充填機にて容器の定量の大部分を充填した量を，自動的に比較，計量し，容器の定量に不足した量を次の行程にて，自動的に自動充填することである．
【発明を実施するための最良の形態】
【０００５】図１，図２に示すように，充填用コンベヤ４の上に，から容器３を置く，次に充填用コンベヤ４が動き，粘体充填機１の下にて停止し，粘体物１８を充填する．充填された容器５は充填用コンベヤ４によって移動し，計量コンベヤ８に乗り，所定の位置にて自動計量機及び制御盤７にて自動的に計量を行う，粘体物が充填され計量された容器６は計量コンベヤ８により移動し，不足量充填用コンベヤ１１に乗り，不足量自動充填機１０の下にて停止し，容器に充填するすべき量に不足する量を不足量自動充填機１０より充填する．不足量が充填された容器１３は排出コンベヤ１４により搬送される．
不足量自動充填機１０は図３，図４に示すようになっている，計量コンベヤ８で自動計量機及び制御盤７にて粘体物が充填され計量された容器６は，不足量自動充填機１０の下にて，自動計量機及び制御盤７より不足量のパルス信号の指令を受け，サ−ボモ−タ１２は回転する，その回転を前進，後退の動きに変えるロボシリンダ１５にて不足量を不足量充填用ピストン１７を後退させ，粘体物１８を不足量充填用シリンダ１６に吸い込む，次に不足量充填用切り換えバルブ１９を切り換えて，不足量充填用シリンダ１６と不足量充填用ノズル２０と通じさせる，そしてサ−ボモ−タ１２を逆転させ，不足量充填用ピストン１７を前進させて不足量充填用シリンダ１６に吸い込んだ不足量を不足量充填用ノズル２０より粘体物が充填され計量された容器５に吐出させ，粘体充填機１と不足量自動充填機１０とより充填された充填量を１つの容器に充填する装置である．
又  ，本実施の形態以外にも，１台のコンベヤ上で行うこともできる，さらに本実施の形態の不足量自動充填機以外にも，ポンプ等を使用し回転数を制御する方法等もある．
【発明の効果】
【０００６】たとえば，１０００ｇの粘体物を充填機で充填するの場合の充填量目精度は約−１パ−セントから＋１パーセントであり，１度に充填すると量目誤差は約２０ｇになる，そこで始めに常に定量１０００ｇより少なく充填するように，充填機の最大誤差を見込んでで充填し，計量したところ９７０ｇだったとする，そこで，定量（１０００ｇ）−充填量（９７０ｇ）＝不足量（３０ｇ）となる，次に不足量３０ｇを不足量自動充填機で充填する，又３０ｇの粘対物を充填機で充填する場合の充填量目精度は約−３パ−セントから＋３パ−セントであり，量目誤差は約２ｇ位である，そこで充填量（計量された量）＋不足量（不足量自動充填機で充填する）＝１０００ｇであり，その１０００ｇに対しての量目誤差は不足量自動充填機で充填する不足量３０ｇのみの量目誤差の約２ｇになり，１０００ｇを１度に充填するよりも量目誤差が小さくなり，少なくできる．
【図面の簡単な説明】
【０００７】
【図１】不足量を自動的に充填する装置の概略平面図である．
【図２】不足量を自動的に充填する装置の概略正面図である．
【図３】計量された粘体物の不足量を不足量ホッパ−より不足量充填用シリンダに吸い込んでいる，不足量自動充填機の概略図である．
【図４】不足量充填用シリンダに吸い込んだ粘体物の不足量を充填している，不足量自動充填機の概略図である．
【符号の説明】
１は粘体充填機
２はホッパ−
３はから容器
４は充填用コンベヤ
５は充填された容器
６は粘体物が充填され計量された容器
７は自動計量器及び制御盤
８は計量コンベヤ
９は不足量ホッパ−
１０は不足量自動充填機
１１は不足量充填用コンベヤ
１２はサ−ボモ−タ
１３は不足量が充填された容器
１４は搬出コンベヤ
１５はロボシリンダ
１６は不足量充填用シリンダ
１７は不足量充填用ピストン
１８は粘体物
１９は不足量充填用切り換えバルブ
２０は不足量充填用ノズル
２１は吐出した不足量
【図１】
2007137515.tif 000003
【図２】
2007137515.tif 000004
【図３】
2007137515.tif 000005
【図４】
2007137515.tif 000006
(57)【要約】【課題】本発明は、不衛生になりがちな飲料缶の飲み口を衛生的に保持する為のキャップ又はフイルムである。通常は、キャップ又はフイルムの装着により、開封に手間取る事が考えられる為、スピーディーに開封できるようにしたキャップ又はフイルムを提供する。又、ゴミになって散乱しない様に、本体から分離し難いキャップ又はフイルムを提供する。【手段】飲料缶の飲み口に装着したキャップ又はフイルムに、スピーディーに開封できるミシン目パターンを設ける。キャップ又はフイルムの散乱を防止する為に、缶本体から分離し難いミシン目パターンを設ける。【選択図】図１
2007137514.tif 000002
【特許請求の範囲】
【請求項１】
飲料缶の飲み口が封印され、プルタブの上端を通るミシン目により、プルタブを引き起こすと同時に切り込みが入るキャップ又はフイルム。
【請求項２】
どの方向から開けても、請求項１と同様のミシン目パターンで飲み口が出る様に開封できるミシン目パターンが設けられた、請求項１のキャップ又はフイルム。
【請求項３】
ミシン目の端をキャップ又はフイルムの外周の手前で止め、ミシン目の両端に穴を開けた、請求項１、及び２のキャップ又はフイルム。
【請求項４】
ミシン目の分岐点から適当な範囲に、キャップ又はフイルムの材質に合わせて、ダブルステッチ、又は穴の太さを拡大した、請求項２のキャップ又はフイルム。
【発明の詳細な説明】
【技術分野】
【０００１】  本発明は、飲料缶の飲み口を衛生的に保つ為のキャップ又はフイルムであって、プルタブを引き起こすと同時にキャップ又はフイルムに切り込みが入り、スピーディーに開封できるキャップ又はフイルムに関するものである。
【背景技術】
【０００２】  従来、飲料缶は、プルタブによりワンタッチで開封できる構造になっている。しかし、その構造上、飲み口に埃、雑菌等が付着する等の衛生面での問題がある。
【発明の開示】
【発明が解決しようとする課題】
【０００３】  飲み口に埃、雑菌等が付着する事を防止する為には、キャップ、フイルムによるラッピング等が必要であるが、利便性に問題がある。
本発明は、以上の問題点を解決し、飲料缶を衛生的、かつスピーディーに開封し、キャップ及びフイルムの散乱も合わせて防止する為になされたものである。
【課題を解決するための手段】
【０００４】  缶飲料のキャップ又はフイルムに、プルタブの上端を通ったミシン目パターンを入れる事により、プルタブでの開封と同時にキャップ又はフイルムに切り込みが入る様様にする。又、ミシン目をキャップ又はフイルムの端より手前で止め、ミシン目の両端に穴を開ける事により缶本体から分離し難いパターンとする。
本発明は、以上の構成よりなる、飲料缶用の散乱防止衛生キャップ及びフイルムである。
【発明の効果】
【０００５】  本発明を使用する事により、飲料缶を衛生的に保持でき、かつスピーディーな開封と同時に、ゴミの散乱を防止する事ができる。
【発明を実施するための最良の形態】
【０００６】  以下、本発明の実施の形態を説明する。
（イ）ポリスチレン等の材質からなるキャップ又はフイルムに、装着時プルタブの上端（５）を通るパターンのミシン目（３）を入れる。
（ロ）ミシン目のパターンは、全てキャップ又はフイルムの外周（２）の手前で止め、切り取り難くなる様に両端に穴（４）を設ける。
（ハ）ミシン目がプルタブの形状、及び位置に合わせて装着できない場合は、どの方向から開けても飲み口が出る様に開封できるミシン目パターン（図３）とし、（イ）と同様のパターンでの開封を誘導する為に、ミシン目の分岐点（７）から適当な範囲に、キャップ又はフイルムの材質に合わせて、ダブルステッチ、又は穴の太さを拡大したミシン目を設ける。
本発明は以上の構成よりなる。
本発明を使用する場合は、キャップ又はフイルムの上から通常通りプルタブを引くと、自動的にキャップ又はフイルムがミシン目に沿って破れ、プルタブを戻した後、キャップ又はフイルムを開封する。このとき（ハ）の場合も（イ）と同様のミシン目パターンで開封できる。
【図面の簡単な説明】
【０００７】
【図１】本発明の斜視図
【図２】本発明のミシン目パターン（１）
【図３】本発明のミシン目パターン（２）
【図４】本発明のミシン目パターン（２）の拡大図
【符号の説明】
【０００８】（１）飲み口、（２）フイルム又はキャップ外周、（３）ミシン目、（４）止め穴
（５）プルタブ上端、（６）缶外周、（７）ミシン目分岐点
【図１】
2007137514.tif 000003
【図２】
2007137514.tif 000004
【図３】
2007137514.tif 000005
【図４】
2007137514.tif 000006
(57)【要約】【課題】地面に近い居住空間においても活動から就寝休養、そして次の行動へ移るまでエネルギ―を充電させる狙いである。国同士の戦争の戦場を宇宙空間でやれば人や生体系に干渉はない。【解決手段】波長と周波が悪影響を生命体に干渉させない数値を記憶してこれを基準として２つの調和を図る。国事にインフラや人の最良のキープコンディションが違う事よりその家、住人、社会環境に向いた説明書があればよい。【特許請求の範囲】
【請求項１】
大気の中における雷雲、大雨の原因になる周波を晴天や曇り空の
状態に近ずける。その環境下による簡易宇宙旅行事業。
【発明の詳細な説明】
【技術分野】
【０００１】
本発明は大気の周波数における雷雲や雪雲の除去に関するものである。
と共に将来宇宙旅行を実現する環境作りそのものである。
【背景技術】
【０００２】
従来の「襲来警報」雷雲の接近に伴い静電誘導により上空と反対極性電位が地表面に現れたとき、警報を発して人的、物的被害の予防を目的とした警報。(例えば「特開平11−266534」)遠隔操作が可能な自動チュ―ニング装置が使える利点があった。
ＦＥＮ放送環境下においても宇宙旅行の簡易基地代わりとして周波により地上着陸できる吹き出し(周波、パルス、ノイズ、音楽)器。
【０００３】
この改善策としてスポットアンテナやパラボラアンテナ等が使えることによりネットワ―クが構築できる。前出の吹き出し器により飛行体下部とは元素が互いに反する地盤において互いに衝突させ揚力場をつくり形状記憶合金を通して上空から(Ｅエネルギーの陽子を)衝突させて、この操作を分刻みで行い少しずつ浮力を発生させ予めこの発明のエフェク
ティブテンペレーチャーシステム等チューニング環境から得られるＥエネルギーのバリヤーで形状記憶強化合金らを圧力や隕石から守り異なる同位元素の固まりとして例えば月表面などに同じく等しい環境があれば磁石が同じ極同士反発する事さながらに地球から飛行体がエレベーターのように真直ぐあるいは蛇行し、チューニングどうり軟着陸できる。ＦＥＮ放送のチューニングバンドで予め準備があればお好みの地点へ引き返せるシステム構築が共通の利点。
【特許文献１】特開平11−266534号公報
【発明の開示】
【発明が解決しようとする課題】
【０００４】
世界における雨期の長雨や豪雪の原因を見つける事により生活や
生産活動をより良くするためである。空間においても同様。
【課題を解決するための手段】
【０００５】
ヒトや生物、植物が支障なく生きるため、電気エネルギ―が正の負荷を
伴ったものにおいて、効率よく地表に届くためにカミナリの電気やカミナリ
雲などが現われる自然界の人間が生活していく世界において雨雲や雪雲が発生している
高い所から生物やヒトが生活しているエリアまでの、周波を均一に保ちそれにより雷が
音の鳴らない状態即ち電気エネルギ―が地表や地下に至るまで満ち溢れた状態に周波
とヒトのバイオリズムが同期する装置をつくり山の頂上や高い鉄塔付近、屋根や電信柱
へ設置する。それにより常にカミナリがたえまなく光りかがやき、不安定な大気でカミナリが音を鳴らさない事により空からのエネルギ―をシャワ―のように日中の間注ぎ続ける
事により人体を動かす電気エネルギ―を得ると共に水資源確保のため根雪のある地帯以外
の居住空間にあるコンクリ―ト等の雨、雪からによる劣化も防ぐ効果もある。
人間が穏やかに寝るためには赤外線等の外地からの侵入者発見装置も含み、空間における
漢字に代表される日本国以外の白と黒色認証確認機能パタ―ン認知も付加価値も備えさせる。後は全システムの切り替えスィッチで、天気をコントロ―ルさせる装置。
【発明の効果】
【０００６】
本発明は市街地に近い地域での天気の急激な変化をさけるために効果がある。
【発明を実施するための最良の形態】
【０００７】
特定の気象条件、夕日や朝焼け等がある以上、理論上
生活を病弱者に前出の前提条件に基準をおいて研究する。オートメーション
により大量生産し、その家や人向けの場所、エリア別の取り付け易いパーツ
生産を要求する。
(57)【要約】      （修正有）【課題】限りある資源を使わず、自然環境に左右されず、いつでも、何処でも自らのシステムにより永続的に発電する事が出来る発電システムをつくる。【解決手段】フライホイールに発電機を接続し、バッテリーを電源とするモーターで、ある一定以上に高速回転させ、遠心力による慣性を利用して発電する。フライホイールが一定以下の回転数になったとき、再度モーターにより一定以上の回転数まで上昇させる。これを繰り返すことによって永続的に発電する事が出来るシステム。【選択図】図１
2007082387.tif 000002
【特許請求の範囲】
【請求項１】
フライホイールに発電機を接続し、バッテリーを電源とするモーターで、ある一定以上に高速回転させ、遠心力による慣性を利用して発電する。フライホイールが一定以下の回転数になったとき、再度モーターにより一定以上の回転数まで上昇させる。これを繰り返す事によって永続的に発電する事が出来るシステム。
【発明の詳細な説明】
【発明の詳細な説明】
【技術分野】
【０００１】  本発明は自らのシステムで発電するため、必要なとき、必要な場所で電力を供給することが出来る。つまり、送電線を必要としないため、あらゆる場所で電力を低コストにて利用出来ることになる。
【背景技術】
【０００２】  従来は、内燃機関による発電は化石燃料が必要だったり、燃料を必要としない風力・太陽光発電の場合は、無風あるいは夜間は発電が出来ない。
つまり、常に他の燃料又は自然現象の影響を受けないと発電出来なかった。
【発明実施の形態】
【０００３】  本発明は化石燃料等を必要としないし、また自然現象の影響も受けないで、自らのシステムで永続的に発電する事が可能である。
【発明の効果】
【０００４】  この発電システムさえあれば、いつでも何処でも発電する事が可能であり、使い道は自動車用、企業・家庭用自家発電等、無限大にある。燃料を使わないが故に排気ガスも出さないため、地球の環境問題・温暖化問題にも貢献出来る発電システムである。
【図面の簡単な説明】
【図１】１  モーター  ２  フライホイール  ３  発電機  ４  バッテリー  ５  電線
【図２】１  内燃機関（エンジン等）  ２  発電機
【図１】
2007082387.tif 000003
【図２】
2007082387.tif 000004
(57)【要約】【課題】  従来方式のモータ制御装置は制御パターンが８パターンしかないため低域回転域では制御性が悪く、滑らかに停止できない。また、抵抗式ブレーキの場合は抵抗が焼損しないよう配慮する必要があるので、過負荷に対してのブレーキ性能にも問題があった。【解決手段】  特願２００５−２５２５５２（低速回転域を高精度化するモータ制御装置）に抵抗値ｍＲ／ｎ（ｍは自然数、ｎは２以上の自然数）の抵抗（４）を使う。ダイオード（３）で抵抗（４）をｍ系統（ｍは自然数）並列接続して負荷に応じてスイッチ（５）によって、最適な系統を選択できる構造とした、滑らかに良く効く高性能ブレーキ装置。【選択図】  図２
2007082388.tif 000002
【特許請求の範囲】
【請求項１】
特願２００５−２５２５５２（低速回転域を高精度化するモータ制御装置）に対して、インバータ駆動装置（１）の直流回路部分に抵抗値ｍＲ／ｎ（ｍは自然数、ｎは２以上の自然数）の抵抗（４）を使う。ダイオード（３）で、抵抗（４）をｍ系統（ｍは自然数）並列接続する。この抵抗（４）のジュール熱でモータ（２）の発電エネルギーを消費する。発電量に応じて系統を選択できる構造とした、滑らかに良く効く高性能ブレーキ装置。
【発明の詳細な説明】
【技術分野】
【０００１】  この発明は、従来の制御方式では、低域回転域の制御性が悪く、滑らかに停止できない。また、重源電圧への悪影響がなくて安価である抵抗式ブレーキはその性能に限界がある。その点に配慮した、滑らかに良く効く高性能ブレーキ装置に関するものである。
【背景技術】
【０００２】  従来の制御装置は、低域回転域で制御上の分解能が良くないことを原因としてブレーキ装置はモータを滑らかに停止できなかった。また、電源電圧への悪影響がなく安価である抵抗を使ったブレーキ装置は想定外の能力を必要とした過酷な条件で、抵抗を焼損しないように一時的にブレーキを解除する必要があって、目標とする位置で停止できない。
【発明が解決しようとする課題】
【０００３】  従来の技術には、次のような欠点があった。
制御パターンが８種類しかないので、低域回転域の制御上の分解能が良くないことを原因として滑らかに停止できなかった。また電源電圧への悪影響がなくて安価な抵抗を使ったブレーキ装置は想定外の能力を必要とした過酷な条件でモータを停止させる場合にモータが発電した電圧をジュール熱によって消費させるが、抵抗が定格値を超える過酷な条件の場合には抵抗を焼損しないように一時的にブレーキを解除する必要があるので、その場合にはモータを目標とする位置で停止できない。
【課題を解決するための手段】
【０００４】  特願２００５−２５２５５２（低速回転域を高精度化するモータ制御装置）に対して、抵抗値がｍＲ／ｎ（ｍは自然数、ｎは２以上の自然数）の抵抗を適用する。一方、モータ（２）の発電する電圧に応じてブレーキ性能を確保することを目的としてダイオード（３）を活用してｍ系列（ｍは、自然数）に並列接続することでスイッチ（５）で負荷に対して最適なブレーキ性能を確保する。
以上の構成とした滑らかに良く効く高性能ブレーキ装置
【発明の効果】
【０００５】  特願２００５−２５２５５２（低速回転域を高精度化するモータ制御装置）を採用することで、インバータ駆動装置（１）の直流電圧を１／ｎ（ｎは２以上の自然数）にできる。したがって、モータ（２）を停止させる場合に、モータ（２）が発電機として機能して、インバータ駆動装置（１）へ逆流する電圧の限界値に対しての余裕度は従来の装置よりも大きくできる特長がある。さらに、ダイオード（３）を採用することで、モータ（２）の発生する発電エネルギーを消費する抵抗（４）をｍ系統（ｍは、自然数）とすることで、負荷に対して最適なブレーキ性能を選択できる構造とする。特願２００５−２５２５５２（低速回転域を高精度化するモータ制御装置）は従来よりも低速回転域を高精度化できることから、ブレーキの効き目を滑らかにする効果もある。
【発明の実施をするための最良の形態】
【０００６】  以下、本発明の実施をするための最良の形態について説明する。
特願２００５−２５２５５２（低速回転域を高精度化するモータ制御装置）を使うことで、低速回転域で滑らかな停止が期待できる。一方で、従来のインバータ駆動装置のブレーキ抵抗値をＲとした場合、それぞれのインバータ駆動装置（１）にｍＲ／ｎ（ｍは自然数、ｎは２以上の自然数）の抵抗値の抵抗（４）を採用する。装置（１）の直流電圧の正極側にダイオード（３）を活用して、ｍ系統（ｍは、自然数）の抵抗（４）を並列接続する。そして、スイッチ（５）を開閉することで負荷に適した系統を選択することでモータ（２）を減速する度合いに応じて消費できるエネルギーの大きさを調整できる構成とする。
【図面の簡単な説明】
【０００７】
【図１】  特願２００５−２５２５５２のインバータ構成図である。（ｎ＝２の場合）
【図２】  本発明のブレーキ抵抗の電気回路図である
【符号の説明】
【０００８】    １    インバータ駆動装置
２    モータ
３    ダイオード
４    抵抗
５    スイッチ
【図１】
2007082388.tif 000003
【図２】
2007082388.tif 000004
(57)【要約】      （修正有）【課題】携帯電話等移動体通信機器、音楽再生機能付記憶媒体を一つの充電器で充電できるようにする。【解決手段】一つの充電器に多数のコネクタを付ける事により、携帯電話等移動体通信機器も音楽再生機能付記憶媒体も充電でき、需要者にとって利便性が高いものとなりました。【選択図】図１
2007082390.tif 000002
【特許請求の範囲】
【請求項１】
本発明は、携帯電話等移動体通信機充電器と音楽再生機能付記憶媒体充電器に関する物です。
【発明の詳細な説明】
【技術分野】
【０００１】  携帯電話等移動体通信機器、移動体記憶媒体の二次電池の電力を供する物です。
【発明の開示】
【発明が解決しようとする課題】
【０００２】  携帯電話等移動体通信機器、音楽再生機能付記憶媒体は従来各社製品の充電器でしか充電できませんでした。
【課題を解決するための手段】
【０００３】  一つの充電器に、多種の携帯電話に充電するコネクタとＵＳＢのコネクタを備えました。
【発明の効果】
【０００４】  一つの充電器で携帯電話等移動通信機器も音楽再生機能付記憶媒体も充電でき、需要者にとって利便性が高いものとなりました。
2007082390.tif 000003
【手続補正書】
【提出日】平成18年11月28日(2006.11.28)
【手続補正１】
【補正対象書類名】明細書
【補正対象項目名】全文
【補正方法】変更
【補正の内容】
【発明の詳細な説明】
【技術分野】
【００１】携帯電話等移動体通信機器、移動記憶媒体の二次電池の電力を供する物です。
【発明の開示】
【発明が解決しようとする課題】
【０００２】携帯電話等移動体通信機、音楽再生機能付記憶媒体等は、従来各社製品の充電器でしか充電出来ませんでした。
【課題を解決するための手段】
【０００３】一つの充電器に、多種の携帯電話等に充電するコネクタと、ＵＳＢのコネクタを備えました。
【発明の効果】
【０００４】一つの充電器で携帯電話等移動通信機器も音楽再生等機能付記憶媒体も充電でき、需用者にとって利便性が高い物となりました。
【図面の簡単な説明】
【０００５】
【図１】平面図
【図２】立体図
【符号の説明】
１．ＵＳＢ電源コネクタ（出力）２．ＡＣプラグ（入力）３．ＤＣ出力
【手続補正２】
【補正対象書類名】図面
【補正対象項目名】全図
【補正方法】変更
【補正の内容】
【図１】
2007082390.tif 000004
【図２】
2007082390.tif 000005
(57)【要約】      （修正有）【課題】過放電によるバッテリー上がりをその場で小型な補助バッテリーで電圧を昇圧し、バッテリーを充電することを可能にする。【解決手段】補助バッテリーから昇圧回路によって電圧をあげプラグからシガーライターソケットを通り自動車本体のバッテリーを充電することを可能にし、ガソリンスタンドで充電器を用いて充電をしたり、ロードサービスに頼らずに問題を解決できる。【選択図】図１
2007082385.tif 000002
【特許請求の範囲】
【請求項１】
自動車で使用されるバッテリーにおいて、過放電によりバッテリー上がりを起こしたとき、補助バッテリーから電圧を昇圧してシガーライター用プラグを自動車に施してあるシガーライターのソケットに挿して自動車本体のバッテリーへ充電する、また補助バッテリーへの充電は同じシガーライターのソケットにシガーライター用プラグを挿して電圧を昇圧して補助バッテリーを充電する装置。
【発明の詳細な説明】
【技術分野】
【０００１】  本発明は、バッテリーの充電に関するものである。
【背景技術】
【０００２】  従来バッテリーの充電はガソリンスタンドにて充電器による充電やロードサービスによるブースターケーブルを接続しエンジンの回転を上げてダイナモの電圧を上げながら充電を行っている。
【発明の開示】
【発明が解決しようとする課題】
【０００３】  補助バッテリーはコストや重量を考えると１２Ｖ１０Ａｈ以下２から３Ｋｇ程度、しかしこの程度のバッテリーでは１２Ｖ１００Ａｈを超える様なバッテリー上がりのバッテリーに接続してもセルモーターを回したり充電することは困難である、また電動自転車や貨物車などは２４Ｖが一般的で小型化はより困難である、そこで小型の補助バッテリーからアップバーターの電子回路で電圧を昇圧し目的のバッテリーへ充電することでバッテリー上がりの問題を解決しようとするものである。
【課題を解決するための手段】
【０００４】  本発明は、車内に施してあるシガーライターのソッケトにプラグを挿し込み補助バッテリーから昇圧した電圧で自動車本体のバッテリーをセルモーターが回せる程度まで充電して、エンジンが掛かったら、同じプラグから電源を供給して電圧を昇圧し補助バッテリーに充電をし次に備えることでバッテリー上がりの問題を解決している。
【発明の効果】
【０００５】  １２Ｖの補助バッテリー非常用充電器の切換えスイッチを主バッテリーの充電にセットして車内のシガーライターソケットにプラグを挿し込み補助バッテリーの電圧で１２Ｖの自動本体のバッテリーを充電できる電圧に昇圧電子回路を用いて昇圧して自動車本体のバッテリーを充電する、充電が終わったらエンジンを掛け次回に備えて切換えスイッチを補助バッテリーの充電にセットし自動車本体のバッテリーから電圧を昇圧しながらバッテリー非常用充電器のバッテリーを充電する。
【発明の実施するための最良の形態】
【０００６】  主バッテリーを充電するとき連動スイッチ１と５をＢ側にすると発振回路が発振しパルスを発生し１１のＴＲ１でドライブされ２のＦＥＴ１をスイッチングして３のＬ１のトロイダルコアのコイルでバックパルスを発生させ４のＤ１を通り１４のコンデンサーに昇圧された電圧が６のプラグからシガーライターソケットそして主バッテリーに充電される、なお昇圧電圧の設定は１３のＶＲ１を調整する、補助バッテリーの充電は連動スイッチ１と５をＡ側にすることで主バッテリーからシガーライターソケットからプラグそして上述の昇圧回路によって昇圧された電圧で補助バッテリーを充電する。
【図面の簡単な説明】
【０００７】
【図１】  本発明のバッテリー非常用充電器の電子回路を示す面図である。
【図２】  バッテリー非常用充電器のブロックを示した面図である。
【符号の説明】
【０００８】１  ２回路２接点連動スイッチＳ１ａ
２  ＦＥＴトランジスタＦＥＴ１
３  トロイダルコアコイルＬ１
４  ダイオードＤ１
５  ２回路２接点連動スイッチＳ１ｂ
６  シガーライターソケットＣＬＳ及びシガーライタープラグＣＬＰ
７  補助バッテリーＢ１
８  発振回路部、Ｃ−ＭＯＳ、ＮＡＮＤゲートＩＣ１
９  発振制御回路部
１０  発振制御トランジスタＴＲ２
１１  発振ドライバートランジスタＴＲ１
１２  昇圧電圧検出ＬＥＤダイオードＬＥＤ１
１３  最大昇圧電圧設定ボリュームＶＲ１
１４  昇圧電圧平滑コンデンサＣ１
１５  主バッテリー（自動車本体バッテリー）Ｂ２
【図１】
2007082385.tif 000003
【図２】
2007082385.tif 000004
(57)【要約】【課題】  従来のゴルフクラブをスウィングする時は、クラブが手から遠くに飛び出さないかと心配して不必要な強い力でゴルフクラブを握りスゥイングをし、どうしても最低限の力でゴルフクラブを柔らかく握ることができないゴルファーが多くこの難しさの問題があった。  本発明品は、これらの欠点を取り除くために開発し、より多くのゴルファーの体に与える負担を取り除きゴルフの上達を促進することを目的とするゴルフ練習補助器具である。【解決手段】  ゴルフクラブとクラブを握る手とをコードで連結した２つの固定用器具でクラブと手を固定することによりゴルフクラブがスウィングした時に手から飛び出す不安を解消する。それにより不必要な強い力でゴルフクラブを握りしめることがなくなり、これによりゴルフクラブを効率良く動かすことができるのでボールの方向性の正確度と飛距離のアップにもつながることが可能となる。【選択図】  図１
2007082964.tif 000002
【特許請求の範囲】
【請求項１】
ゴルフクラブとそれを握る手を連結するためのゴルフスウィング補助器具。
【請求項２】
ゴルフクラブに取付ける器具の一端と手に取付ける器具の一端をコードで結びゴルフクラブを振回すときにゴルフクラブのグリップを柔らかく握っても手からゴルフクラブが飛んで行くことを防止する請求項目１記載のゴルフクラブとそれを握る手を連結するためのゴルフスウィング補助器具。
【請求項３】
ゴルフクラブのグリップの上に滑り止めのグリップを被せ、ゴルフクラブとそれを握る手を連結するための器具をゴルフクラブと手に固定した請求項目１記載のゴルフクラブとそれを握る手を連結するためのゴルフスウィング補助器具。
【発明の詳細な説明】
【技術分野】
【０００１】  本発明は、ゴルフのスウィングをするときにグリップの握る力を柔らかく握らせ、強く握り締めなくてもゴルフクラブが手から飛んで行く心配を無くすための工夫をしたゴルフスウィング補助器具に関するものである。
【背景技術】
【０００２】  従来のゴルフクラブでは、スウィング時に手元からクラブが飛んで行かなくする補助器具が付いていなく、そのためにゴルフクラブを振る人は手から飛び出さないように無意識の内に不必要な力で強く握りしめ、それがゴルフの上達を妨げている。
【発明の開示】
【発明が解決しようとする課題】
【０００３】  これは次の欠点があった。
従来は、ゴルフスウィングの矯正機や筋力アップの器具はあるがゴルフクラブを最低限の力で振れるようになるための練習器具がない。【０００４】  一般のゴルファーはクラブをスウィングする時に、クラブが手から離れて飛んで行く不安がありどうしても不必要な強い力をグリップに加えてゴルフクラブが飛んで行く事を回避しようとしてしまう。結果ゴルフの上達を自分自身で妨げている。
本発明は、以上のような欠点を失くす為になされたものである。
【課題を解決するための手段】
【０００５】  ゴルフクラブに取り外し可能な固定用器具を取付け、さらにこのクラブのグリップを握る手に取り外し可能な固定用器具を取り付け、ゴルフクラブに取付けた器具と手に取付けた器具とをコードで連結する。本発明は、以上の構成よりなる手からゴルフクラブが飛んで行かなくするためのゴルフスウィング補助器具。
【発明を実施するための最良の形態】
【０００６】  以下、本発明の実施の形態について説明する。【０００７】  ゴルフクラブに取り外しの利く固定用器具を固定する。【０００８】  ゴルフクラブに付いているグリップを握る手に取り外しの利く固定用器具を固定する。【０００９】  ゴルフクラブに取付けた固定用器具と手に取付けた固定用器具とを連結させるために両器具の一端どおしをコードで結び１つの器具にする。【００１０】    本発明は、以上のような構造でこれを使用する時は、コードで結ばれている２つの取り外しの利く固定用器具の内１つを手からゴルフクラブが飛んで行かないようにゴルフクラブに取り付け、もう一方の固定用器具を手に取り付けてゴルフのスウィングをする。【００１１】  そうすると次の要領でゴルフのスウィング練習ができる。
従来のゴルフクラブと同様にこの器具を取付けたクラブを振ることにより、手からクラブが飛び出していかないと感じることで必要以上に力を入れてゴルフクラブのグリップを握りしめなくなり綺麗なゴルフスウィングフォームを作ることが可能となる。
【発明の効果】
【００１２】  本発明品をゴルフクラブに取り付けてゴルフクラブを振るときは、不必要な力を入れなくなるために体の負担を軽減すると同時に正しいゴルフスウィングが身に付きボールの飛距離も伸び、また小型であるので輸送も保管も便利。
【発明を実施するための最良の形態】
【００１３】  以下、本発明の実施の形態を図に基づいて説明する。【００１４】  図１において、取外し可能な固定用器具１を用いこの器具をゴルフクラブに取付ける。
図２において、取外し可能な固定用器具２を用いこの器具を人間の手に取付ける。
図３において、図１の固定用器具１と図２の固定用器具２とを連結するためのコード。【００１５】  図４において、図１の固定用器具１と図２の固定用器具２とを図３のコード３で連結させた器具をゴルフクラブと手に取り付けて通常のゴルフスウィングと同様にスウィングすることで、力まないスウィングが学習できる。
【図面の簡単な説明】
【００１６】
【図１】ゴルフクラブに取り付ける取外し可能な固定用器具１の形態図。
【図２】ゴルフクラブを振る手に取り付ける取外し可能な固定用器具２の形態図。
【図３】図１の固定用器具１と図２の固定用器具２を連結させるためのコードの形態図。
【図４】本発明の形態図。
【符号の説明】
【００１７】  １  ゴルフクラブに取付ける取外し可能な固定用器具
２  人間の手に取付ける取外し可能な固定用器具
３  図１の固定用器具１と図２の固定用器具２を連結するためのコード
４  図３のコードを図１の固定用器具１と図２の固定用器具２に固定する器具。
【図１】
2007082964.tif 000003
【図２】
2007082964.tif 000004
【図３】
2007082964.tif 000005
【図４】
2007082964.tif 000006
(57)【要約】【課題】目薬を正確に点眼する為の容器を提供する。【解決手段】目薬容器本体の点眼口の面に穴を開け、穴の回りに水平器を取り付けた鏡を固定し、鏡に映った自分の目を見ながら点眼することを特徴とする、目薬を正確に点眼する目薬容器【選択図】図２
2007082968.tif 000002
【特許請求の範囲】
【請求項１】
目薬容器本体の点眼口の面に穴を開け、穴の回りに水平器の付いた鏡を固定し、鏡に映った自分の目と水平器を見ながら点眼することを特徴とする目薬容器
【発明の詳細な説明】
【技術分野】
【０００１】  本発明は、目薬を正確に点眼するための容器に関するものです。
【背景技術】
【０００２】  従来、目薬を点眼するとき、うまく出来ず、何度も繰り返し点眼していた。
【発明の開示】
【発明が解決しようとする課題】
【０００３】  そのために次のような問題点があった。
点眼の正確性に問題があり、無駄に目薬を消費し、効率が悪かった。
本発明はこれらの問題点を解決するためになされたものである。
【課題を解決するための手段】
【０００４】  目薬本体の点眼口の面に穴を開け、穴の回りに水平器の付いた鏡を固定し、鏡に映った自分の目を見ながら点眼する。以上を特徴とする目薬容器である。
【発明の効果】
【０００５】  本発明は、点眼の確実性を高め、従って、無駄な薬の消費を防ぎ、気分よく点眼できる。
【発明を実施するための最良の形態】
【０００６】  以下、本発明の実施の形態について説明する。
（イ）目薬容器本体（１）の点眼口（２）の面に
（ロ）穴を開け、穴の回りに水平器（３）の付いた鏡（４）を固定する。
本発明は、以上の構成よりなっている。
本発明を使用するときは、鏡に映った自分の目を見ながら水平を確認し、点眼する仕組みです。水平器の中は空洞になっており、有色液体が入っている。水平器が丸円の場合、グランドライン（５）と鏡は水平である。
【図面の簡単な説明】
【０００７】
【図１】    本発明の斜視図
【図２】    本発明の使用状態を示す斜視図
【符号の説明】
【０００８】        １  目薬容器本体
２  点眼口
３  水平器
４  鏡
５  グランドライン
【図１】
2007082968.tif 000003
【図２】
2007082968.tif 000004
(57)【要約】【課題】汁に含まれる具を掬うための道具を提供する。【解決手段】具を掬うために充分な強度を持った厚みの板状のベース体と、該ベース体に水切りが素早く出来て具が引っ掛かる大きさの貫通した孔や溝よりなる水切り機構と、ベース体先端に形成されたフォーク状の歯と、前記ベース体に設けられた柄とよりなる水切り具取具である。【選択図】  図１
2007082966.tif 000002
【特許請求の範囲】
【請求項１】
具を掬うために充分な強度を持った厚みの板状のベース体と、該ベース体に水切りが素早く出来て具が引っ掛かる大きさの貫通した孔や溝よりなる水切り機構と、ベース体先端に形成されたフォーク状の歯と、前記ベース体に設けられた柄とよりなる水切り具取具。
【発明の詳細な説明】
【技術分野】
【０００１】  本発明は汁に含まれる具を掬うための道具に関するものである。
【背景技術】
【０００２】  従来、汁を取ることなく具や麺を掬うものとしてスプーンの底に水切り穴をあけ、スプーンの先がフォーク歯になっているものがあった。
【特許文献】実開昭５０−０１２９７５
【発明の開示】
【発明が解決しようとする課題】
【０００３】  従来のものはスプーンの底に水切り穴を開け、その先にフォーク歯を有するものであるので、スプーン本来の機能である汁すなわち液体を掬くい、それを保持するための湾曲部を有している。そのために次のような問題があった。
（イ）湾曲部を有するため、一度汁を溜めた後に水切りを行うので素早い水切りが出来にくい難点があった。
（ロ）湾曲部を有するため、図６に示すように底とスプーンの縁には高さの差があり、スプーンを傾けないと底の細かい具は掬えず、傾ける自由度が制限される縦長の容器に入っている場合は底の細かい具を掬うのは難しかった。
（ハ）湾曲部を有するため、フォーク歯も普通スプーンの縁に着いているか、底の方から上向きに角度をもって着いており、柄がスプーンの掬い部と水平方向である場合はさほど問題にはならないが、図８に示すように柄がスプーンの掬い部と角度を有する場合は（ロ）と同様の理由により縦長の容器に入っている底の具を引っ掛け難かった。
（ニ）湾曲部を有するため、何か具を潰したい場合、直角に力の加わる面積が小さいため滑ったり、潰れ難かったりした。
（ホ）湾曲部を有するため、この水切りスプーンを具の入っている容器に具取り出し用具として取り付けまたは添付する場合、厚みが有りかさばる難点があった。
本発明はこれらの問題を解決するためになされたものである。
【課題を解決するための手段】
【０００４】  具を掬うために充分な強度を持った厚みの板状のベース体と、該ベース体に水切りが素早く出来て具が引っ掛かる大きさの貫通した孔や溝よりなる水切り機構と、ベース体先端に形成されたフォーク状の歯と、前記ベース体に設けられた柄とよりなる水切り具取具である。
【発明の効果】
【０００５】  具を掬った時、汁を溜めることなく素早く水切りが出来、縦長の容器の具を掬い易いように掬い部と柄に角度を持たせた場合でも底の方にある細かい具や細長い具を逃さず掬うことが出来る。また、具を潰したい時、湾曲していないため直角に力の加わる面積が多く容易に潰すことが出来る。
さらに、この水切り具取具を具の入っている容器などに取り付けまたは添付する場合、全体の厚みを薄く出来るため安定が良く、取り付け、包装などが容易である。
【発明を実施するための最良の形態】
【０００６】  以下、本発明の実施の形態について説明する。
本発明は図１に示すように板状のベース体（１）と水切りをするための水切り孔（２）とベース体の先端に設けたフォーク状の歯（３）と、前記ベース体に設けられた柄（４）から構成されている。
ベース体（１）の材質はなんでも良いが、水切りを良くするため孔の周りは出来るだけ薄い方が望ましいので厚みを薄くし図２に示すように水切り孔の無い部分に補強リブ（５）を設ける。該リブは使用時の力は主に先端から柄の方向に掛かるためフォーク状の歯（３）と平行となる方向に設け、リブの高さは材料強度に合わせ必要最小限とし、強度計算上またコスト面から図２におけるＡ−Ａ′断面を表した図３に示すようにわずかなＲを持たせる。
水切り孔（２）は貫通孔であって、具が引っ掛かり、水切りが素早く出来る大きさとする。なお、断面形状は四角に限らず円形、多角形、貫通溝のいずれでも良い。
フォーク状の歯（３）は主に細長い具を引っ掛け、掬い、滑り落ちないようにするため設けられているが、具を刺して取り出すためにも使用できる歯形状になっている。
柄（４）は図１に示すようにベース体を支えて具を掬う時手に持つためのもので、従来のフォークの柄と同様である。図１、図５の事例においてはベース本体と柄は平行ではあるが柄が一段高く取り付けられたものになっている。その他の例として図４に示すように具が掬い易くするためベース体と柄に角度をつけても良い。
本発明は以上のような構成であり、使用するときは柄を持って汁の中にある具を出来るだけベース体（１）を水平に近い状態にして掬って食べるが、底の方にある具でも図５に示すようにベース体を底に当てて水平移動させればフォーク状の歯（３）もベース体と同じ高さなので容易に具を掬ったり、引っ掛けたりすることが出来、図６に示す湾曲部（６）を持つスプーンにフォーク状の歯を設けた場合と比べ先端と底面に隙間が生じず掬い残しが無く食べることが出来る。
特に図７に示すように具を取り易くするためベース体（１）と柄（４）に角度を持たせた具取具で、具取具を自由に傾け難い縦長の容器に入っている具を掬う場合でもベース体を底に当てて水平に動かして掬えばフォーク状の歯（３）もベース体と同じ高さなので先端と底面に隙間が生じず底の具をた易く引っ掛け、掬うことが出来、図８に示す従来の湾曲部（６）を持つスプーンにフォーク状の歯を備えたものの難点を克服できる。
また、特定の具取り出し用具として使用するときは、目的にあったベース体と柄の構造として折りたたみ式、組立式なども可能性がある。
【図面の簡単な説明】
【０００６】
【図１】本発明の斜視図
【図２】本発明の部分切り欠け図
【図３】本発明の部分断面図
【図４】本発明の他の使用形態例斜視図
【図５】本発明の使用例１
【図６】従来品の使用例１
【図７】本発明の使用例２
【図８】従来品の使用例２
【符号の説明】
【０００７】    １  ベース本体
２  水切り孔
３  フォーク状の歯
４  柄
５  リブ
６  湾曲部
【図１】
2007082966.tif 000003
【図２】
2007082966.tif 000004
【図３】
2007082966.tif 000005
【図４】
2007082966.tif 000006
【図５】
2007082966.tif 000007
【図６】
2007082966.tif 000008
【図７】
2007082966.tif 000009
【図８】
2007082966.tif 000010
(57)【要約】      （修正有）【課題】近年の自然深索ブームや山菜やきのこ採りを楽しむ人が年々多くなっておりますが、山に不慣れの人も多く、思わぬ急斜面や難所にあたった時ついむりをして事故を起こすことが多々あります。これ等の事故を少しでも無くせればと、長ぐつ等に簡単に取り付けられる金カンジキを提供する。【解決手段】両側の主鋼材に前後の連結鋼材を溶接してカンジキを構成する。紐を２つに折り、中央をリング１に結び、一方の紐を靴の上よりリング２に通し、同様にリング３に通す。残りの一方をリング１からリング４に通す。それぞれ靴の後ろで交差させ前で結ぶことにより簡単に手早く装着できるようにした。【選択図】図４
2007082959.tif 000002
【特許請求の範囲】
【請求項１】
金属で作ったすべり止め付きカンジキ
【発明の詳細な説明】
【技術分野】
【０００１】本発明は、山菜採取又はきのこ狩等で急斜面ですべり、毎年転落事故が多く発生するが簡単に長ぐつ等に装着が出来、事故防止に役立つようにしたものである。
【背景技術】
【０００２】従来は、長ぐつ等に簡単に装着が出来るすべり止め付きの金カンジキはなかった。【０００３】
【特許文献１】
【発明の開示】
【発明が解決しようとする課題】
【０００４】春秋の山菜やきのこ採取で山に行き、急斜面に足を取られ転落による事故が多く発生しているが本発明により、事故発生の防止に役立てたいと願うものである。
【課題を解決するための手段】
【０００５】金属で作ったすべり止め付金カンジキ図面−１のように、金カンジキをマジックテープかヒモで長ぐつに簡単に装着出来るようにした。
【発明の効果】
【０００６】春の融雪時又は雨後の山肌のぬれて居る時など、急斜面は大変すべりやすいが、本発明の金カンジキを装着することにより斜度４５°位まで、歩行可能になった。
【図１】
2007082959.tif 000003
【図２】
2007082959.tif 000004
【図３】
2007082959.tif 000005
【図４】
2007082959.tif 000006
【手続補正書】
【提出日】平成18年8月21日(2006.8.21)
【手続補正２】
【補正対象書類名】明細書
【補正対象項目名】全文
【補正方法】変更
【補正の内容】
【発明の詳細な説明】
【技術分野】
【０００１】  本発明は、山菜採取又はきのこ狩等出急斜面ですベり、毎年転落事故多く発生するが簡単に長ぐつ等に装着が出来、事故防止に役立つようにたものである。
【背景技術】
【０００２】  従来は、長ぐつ等に簡単に装着が出来るすべり止め付きの金カンジキはなかった。【０００３】
【特許文献１】
【発明の開示】
【発明が解決しようとする課題】
【０００４】  春秋の山菜やきのこ採取で山に行き、急斜面に足を取られ転落による事故が多く発生しているが本発明により、事故発生の防止に役立てたいと願うものである。
【課題を解決するための手段】
【０００５】  金属で作ったすべり止め付金カンジキ〔図面４〕のように、金カンジキを紐で長ぐつに簡単に装着出来るようにした。
【発明の効果】
【０００６】  春の融雪時又は雨後の山肌のぬれている時など、急斜面は大変すべりやすいが、本発明の金カンジキを装着することにより斜度４５°位まで、歩行可能になった。
【図面の簡単な説明】
【０００７】
【図１】  主鋼材の形状である  厚さ４〜６ｍｍ、巾約１０ｍｍの鋼材を、金カンジキ１個に対し左右２個作る。
【図２】  連結鋼材の形状  厚さ３〜５ｍｍの鋼材を、前側と後側になる分を作り、それぞれリング穴を作る。
【図３】  使用鋼材の組合方  〔図１〕の主鋼材をスベリ止を下にし、〔図２〕の連結材をリング穴の付いている方を上にして主鋼材に溶接し、各々リングを付ける。
【図４】  完成図及び装着方法  長ぐつ等に金カンジキを装着する場合は、長さ約２ｍの紐の中央をリング１にしっかり結びくつを乗せる。片方の紐をリング２、リング３と通しくつの後にまわす。残りの紐をリング１からリング４に通し、くつの後で交差させ前側で結ぶ。